【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
１対多サービスデータを無線通信システムで実行する物理チャネルの有効性を伝送する方法であって、該方法は、
少なくとも１つのセルの該物理チャネルの構成情報の有効タイミングを引き出すための有効性情報を含むメッセージを生成することと、
該少なくとも１つのセルを介して移動端末に該メッセージを伝送することと
を含み、
該有効性情報は、システムフレーム数（ＳＦＮ）の最小ビットに基づいており、
該物理チャネルは、Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ（ＳＣＣＰＣＨ）であり、
該有効性情報は、１対多サービスのための１対多アクティブ化時間であり、
該有効性情報は、該構成情報が有効になる開始時間を定めている、方法。
【請求項２】
前記１対多サービスデータは、マルチメディアブロードキャストマルチキャストサービス（ＭＢＭＳ）データを含む、請求項１に記載の方法。
【請求項３】
前記少なくとも１つのセルは、制御セルをさらに含む、請求項１に記載の方法。
【請求項４】
前記少なくとも１つのセルは、隣接セルを含む、請求項３に記載の方法。
【請求項５】
前記メッセージは、前記制御セルを介して伝送される、請求項３に記載の方法。
【請求項６】
前記メッセージは、ＭＢＭＳ（マルチメディアブロードキャストマルチキャストサービス）１対多制御チャネル（ＭＣＣＨ）上で伝送された、ＭＢＭＳ修正サービス情報（ＭＳＩ）、あるいは、ＭＢＭＳ未修正サービス情報（ＵＳＩ）メッセージである、請求項１に記載の方法。
【請求項７】
前記メッセージは、開始時に前記構成情報が有効になる修正期間を定める、請求項１に記載の方法。
【請求項８】
前記メッセージは、開始時に前記構成情報が有効になる修正期間の開始に関する時間オフセットを定める、請求項１に記載の方法。
【請求項９】
前記メッセージは、フレームの数を表す数との前記時間オフセット、あるいは、伝送時間間隔ＴＴＩ（Ｔｒａｎｓｍｉｓｓｉｏｎ  Ｔｉｍｅ  Ｉｎｔｅｒｖａｌ）を定める、請求項８に記載の方法。
【請求項１０】
前記有効性情報は、現在有効な構成情報および次の有効な構成情報を含む、請求項１に記載の方法。
【請求項１１】
前記現在有効な構成情報および前記次の有効な構成情報は、有効性タイミングの開始と有効性タイミングの終了とにそれぞれ関連している、請求項１０に記載の方法。
【請求項１２】
無線通信システムの移動端末によって物理チャネルの構成を適合する方法であって、該方法は、
少なくとも１つのセルの該物理チャネルの構成情報の有効性タイミングを引き出すための有効性情報を含むメッセージを受信することと、
該有効性情報に基づいて、該物理チャネルの該構成の使用を開始することと
を含み、
該有効性情報は、システムフレーム数（ＳＦＮ）の最小ビットに基づいており、
該物理チャネルは、Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ（ＳＣＣＰＣＨ）であり、
該有効性情報は、１対多サービスのための１対多アクティベーション時間である、方法。
【請求項１３】
前記１対多サービスデータは、マルチメディアブロードキャストマルチキャストサービス（ＭＢＭＳ）データを含む、請求項１２に記載の方法。
【請求項１４】
前記少なくとも１つのセルは、制御セルを含む、請求項１２に記載の方法。
【請求項１５】
前記少なくとも１つのセルは、隣接セルをさらに含む、請求項１４に記載の方法。
【請求項１６】
前記メッセージは、制御セルを介して伝送される、請求項１４に記載の方法。
【請求項１７】
前記メッセージは、ＭＢＭＳ（マルチメディアブロードキャストマルチキャストサービス）１対多制御チャネル（ＭＣＣＨ）上で受信された、ＭＢＭＳ修正サービス情報（ＭＳＩ）、あるいは、ＭＢＭＳ未修正サービス情報（ＵＳＩ）メッセージである、請求項１２に記載の方法。
【請求項１８】
前記メッセージは、開始時に前記構成情報が有効になる修正期間を定める、請求項１２に記載の方法。
【請求項１９】
前記メッセージは、開始時に前記構成情報が有効になる修正期間の開始に関する時間オフセットを定める、請求項１２に記載の方法。
【請求項２０】
前記有効性情報は、現在有効な構成情報および次の有効な構成情報を含む、請求項１２に記載の方法。
【請求項２１】
前記現在有効な構成情報および前記次の有効な構成情報は、有効性タイミングの開始と有効性タイミングの終了とにそれぞれ関連している、請求項２０に記載の方法。
【請求項２２】
前記メッセージは、フレームの数を表す数との前記時間オフセット、あるいは、伝送時間間隔ＴＴＩ（Ｔｒａｎｓｍｉｓｓｉｏｎ  Ｔｉｍｅ  Ｉｎｔｅｒｖａｌ）を定める、請求項１９に記載の方法。
【請求項２３】
無線通信システムにおいて１対多サービスデータを受信する移動端末であって、
少なくとも１つのセルの物理チャネルの構成情報の有効性タイミングを引き出すための有効性情報を含むメッセージを受信するように適合された受信モジュールと、
該有効性情報に基づいて、該物理チャネルの該構成の使用を開始するように適合された処理モジュールと
を含み、
該有効性情報は、システムフレーム数（ＳＦＮ）の最小ビットに基づいており、
該物理チャネルは、Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ（ＳＣＣＰＣＨ）であり、
該有効性情報は、１対多サービスのための１対多アクティベーション時間である、移動端末。
【請求項２４】
無線通信システムにおいて１対多サービスデータを提供するネットワークであって、
少なくとも１つのセルの物理チャネルの構成情報の有効性タイミングを引き出すための有効性情報を含むメッセージを生成するように適合された処理モジュールと、
該少なくとも１つのセルを介して移動端末に該メッセージを伝送するように適合された伝送モジュールと
を含み、
該有効性情報は、システムフレーム数（ＳＦＮ）の最小ビットに基づいており、
該物理チャネルは、Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ（ＳＣＣＰＣＨ）であり、
該有効性情報は、１対多サービスのための１対多アクティベーション時間であり、
該有効性情報は、該構成情報が有効になる開始時間を定める、ネットワーク。
【手続補正２】
【補正対象書類名】明細書
【補正対象項目名】００７５
【補正方法】変更
【補正の内容】
【００７５】
前記応答モード及び無応答モードにおいて、ＳＤＵ（サービスデータユニット）は、エアインタフェースでの伝送のために使用される小さいプロトコルデータユニット（ＰＤＵ）に分けられる。送信側は前記ＳＤＵをＰＤＵに分離し、受信側は前記ＰＤＵに加えられた制御情報に基づいて前記ＳＤＵを再構成するために前記ＰＤＵを再構築する。前記制御情報は、例えば、ＰＤＵが損失したか否かを検出するためのＰＤＵシーケンスナンバーであるか、又は、ＲＬＣ  ＰＤＵ内のＳＤＵの開始／終了を示す長さインジケータ（Ｌｅｎｇｔｈ  Ｉｎｄｉｃａｔｏｒ：ＬＩ）である。
【手続補正３】
【補正対象書類名】明細書
【補正対象項目名】００８５
【補正方法】変更
【補正の内容】
【００８５】
これに対して、ＵＴＲＡＮは、アイドルモードにある端末の存在を判断できない。アイドルモードにある端末の存在はコアネットワークによってのみ判断される。特に、前記コアネットワークは、ロケーションやルーティング領域のようにセルより大きい地域内にアイドルモードの端末が存在するか否かのみを検出できる。従って、アイドルモード端末の存在は、大きい地域内で判断される。音声やデータなどの無線通信サービスを受けるために、アイドルモードの端末は、ＲＲＣ接続モードに移行又は変更しなければならない。ユーザ装置のモードと状態間の可能な変化については、図５に示す。ＯＳは、サービス不能（ｏｕｔ  ｏｆ  ｓｅｒｖｉｃｅ）を示し、ＩＮは、サービス可能（ｉｎ  ｓｅｒｖｉｃｅ）を示し、Ｒは、ＲＲＣ接続解除段階を示し、Ｅは、ＲＲＣ接続設定段階を示す。
【手続補正４】
【補正対象書類名】明細書
【補正対象項目名】０１７１
【補正方法】変更
【補正の内容】
【０１７１】
発明の理解を容易にするために添付され、本明細書の一部を構成する図面は、発明の多
様な実施形態を示し、明細書と共に発明の原理を説明するためのものである。
【図１】一般的なＵＭＴＳネットワーク構造を示すブロック図である。
【図２】３ＧＰＰ無線接続ネットワーク標準に準拠した端末とＵＴＲＡＮ間の無線インタフェースプロトコルの構造を示す図である。
【図３】移動端末における論理チャネルのトランスポートチャネルへのマッピングを示す図である。
【図４】ネットワークにおける論理チャネルのトランスポートチャネルへのマッピングを示す図である。
【図５】ＵＥにおける状態及びモード移行の例を示す図である。
【図６】移動端末におけるＭＢＭＳ論理チャネルのＦＡＣＨトランスポートチャネルへのマッピングを示す図である。
【図７】ネットワークにおけるＭＢＭＳ論理チャネルのＦＡＣＨトランスポートチャネルへのマッピングを示す図である。
【図８】ＭＢＭＳ修正サービス情報及びＭＣＣＨで伝送された残りの情報が伝送されるスケジュールを示す図である。
【図９】複数のセルからＭＢＭＳを受信するＵＥを示す図である。
【図１０】従来の制御セルにおけるサービス開始を示す図である。
【図１１】従来の制御セルにおけるＰｔＭ再設定を示す図である。
【図１２】ブランク（ｂｌａｎｋ）ＴＴＩ挿入による隣接セルのＭＴＣＨ再同期化を示す図である。
【図１３】隣接セルにおけるサービスセッション開始を示す図である。
【図１４】隣接セルにおける設定変更の例を示す図である。
【図１５】隣接セルにおける設定変更の例を示す図である。
【図１６】連続的ＭＢＭＳ制御メッセージ及び予め定義された規則によるＵＥのメッセージ解釈を示す図である。
【図１７】制御セルにおける修正周期に関するオフセットを利用したセッション開始を示す図である。
【図１８】制御セルにおけるサービス再設定を示す図である。